(57)【特許請求の範囲】
【請求項１】
（ｉ）    参照軸線（Ａ）に沿って延在する静止型連結部分（１Ｂ）と；
前記参照軸線（Ａ）を含む回動面（Ｐ１）内で回動可能である本体（１Ａ）であって、回動制限フック（１０Ｂ，１１Ｂ）をそれぞれ備える２つの側壁（１０，１１）を有する、本体（１Ａ）と；
前記本体（１Ａ）を前記連結部分（１Ｂ）に接続する弾性変形可能な湾曲部分（１Ｃ）であって、前記本体（１Ａ）が前記連結部分（１Ｂ）に対して回動することを可能にする、湾曲部分（１Ｃ）と；
を備える回動可能なクリップ（１）と、
（ｉｉ）  前記クリップ（１）の前記連結部分（１Ｂ）を受ける受取部材（２）であって、前記本体（１Ａ）の回動を制限するために前記回動制限フック（１０Ｂ，１１Ｂ）と協働するように構成された少なくとも１つの回動停止部（２０Ｂ，２１Ｂ）を有する隣接部材（２０）を備える、受取部材（２）と、
を備える、筆記用具に対してクリップ（１）を取り付けるための構造において、
前記隣接部材（２０）が、前記クリップの前記本体（１Ａ）の前記２つの側壁（１０，１１）の間に配置され、且つさらに、前記回動面（Ｐ１）と垂直な前記本体（１Ａ）の運動を防止するように構成された２つの側方隣接部（２０Ａ，２１Ａ）を有していることを特徴とする取付構造。
【請求項２】
前記２つの側方隣接部（２０Ａ，２１Ａ）が、前記隣接部材（２０）の２つの側面によって形成され、前記２つの側面が前記回動面（Ｐ１）の各側に１つずつ位置付けられ、前記２つの回動停止部（２０Ｂ，２１Ｂ）が、前記側面（２０Ａ，２１Ａ）の縁から前記回動面（Ｐ１）に向かって進む表面によってそれぞれ形成されていることを特徴とする請求項１に記載の取付構造。
【請求項３】
前記クリップの少なくとも前記側壁（１０，１１）が、金属シートから形成され、各回動制限フック（１０Ｂ，１１Ｂ）が、前記回動面（Ｐ１）に向かって突出するように、側壁（１０，１１）の縁で曲げられた前記金属シートのタブによって形成されていることを特徴とする請求項１又は２に記載の取付構造。
【請求項４】
前記受取部材（２）が、２つの側壁（５０，５１）と、前記２つの側壁を相互接続する上壁（５２）と、を備える基部（５）を備え、前記受取部材（２）が、前記２つの側壁（５０，５１）の間に形成された保持開口部（７）をさらに備え、前記クリップの前記連結部分（１Ｂ）が前記保持開口部（７）と係合して不動にされることを特徴とする請求項１から３のいずれか一項に記載の取付構造。
【請求項５】
前記基部（５）の前記上壁（５２）が、前記保持開口部（７）の入口で補強横方向部分（６）を備え、前記補強横方向部分（６）が、前記隣接部材（２０）の幅（Ｌ２）よりも小さく且つ２つの前記回動制限フック（１０Ｂ，１１Ｂ）の間の距離（Ｅ１）と略等しい幅（Ｌ１）を規定する２つの側面（６０，６１）を有していることを特徴とする請求項４に記載の取付構造。
【請求項６】
前記上壁（５２）が、前記保持開口部（７）内に内側に突出する突出部（５２Ｂ）を備え、前記突出部が、前記回動面（Ｐ１）内での前記連結部分の運動を防止するために前記クリップの前記連結部分（１Ｂ）の面と接触していることを特徴とする請求項４又は５に記載の取付構造。
【請求項７】
前記クリップ（１）の前記連結部分（１Ｂ）が、可撓性を有するキャッチ部材（１２）を備え、前記受取部材（２）が、前記保持開口部（７）と隣り合うキャッチ開口部（８）を備え、前記可撓性を有するキャッチ部材（１２）が前記キャッチ開口部（８）と係合することを特徴とする請求項４から６のいずれか一項に記載の取付構造。
【請求項８】
前記受取部材（２）が、前記参照軸線（Ａ）と略垂直に延在する補強前壁（３０）を備え、前記少なくとも１つの回動停止部（２０Ｂ，２１Ｂ）が、前記補強前壁（３０）の後面（３０Ｂ）から突出することを特徴とする請求項１から７のいずれか一項に記載の取付構造。
【請求項９】
前記補強前壁（３０）が、隣接部を形成する突出上方部分（３０Ｃ）を備え、前記クリップの前記本体（１Ａ）の下面が、前記クリップが荷重下にないときに前記突出上方部分に対して接触することを特徴とする請求項８に記載の取付構造。
【請求項１０】
長手方向軸線（Ｘ）に沿って延在するバレル（４）と、請求項１から９のいずれか一項に記載のクリップを取り付けるための構造と、を備える筆記用具（３）であって、
前記取付構造の前記受取部材（２）が、前記バレル（４）の後方に取り付けられ且つ前記長手方向軸線（Ｘ）に沿って延在する概略管状部材（１５）と一体的に形成され、前記概略管状部材（１５）が、前記受取部材（２）が突出する概略円筒状後方部分（１６）を備え、前記後方部分（１６）が、前記クリップ（１）の前記連結部分（１Ｂ）が接触する外面を有する壁部分（１７）を備えていることを特徴とする筆記用具。
【請求項１１】
連結部分（１Ｂ）と、本体（１Ａ）と、前記本体（１Ａ）を前記連結部分（１Ｂ）に接続する弾性変形可能な湾曲部分（１Ｃ）と、を備え、前記本体（１Ａ）が、回動制限フック（１０Ｂ，１１Ｂ）をそれぞれ備える２つの側壁（１０，１１）を有する、筆記用具のためのクリップ（１）において、
前記クリップが、前記連結部分（１Ｂ）とともに形成された可撓性を有するキャッチ部材（１２）をさらに備え、
少なくとも前記側壁（１０，１１）が、金属シートから形成され、前記２つの回動制限フック（１０Ｂ，１１Ｂ）のそれぞれが、他方の前記回動制限フックに向かって突出するように、前記側壁（１０，１１）の縁で曲げられた前記金属シートのタブによって形成されていることを特徴とするクリップ。
【発明の詳細な説明】
【技術分野】
【０００１】
本発明は、全体として、参照軸線に沿って延在する静止型連結部分、前記参照軸線を含む回動面内で回動可能である本体であって、当該本体が回動制限フックをそれぞれ備える２つの側壁を有する、本体、及び本体を連結部分に接続する弾性変形可能な湾曲部分を備える回動可能なクリップを備える、筆記用具に対してクリップを取り付けるための構造であって、筆記用具が、クリップの前記連結部分を受けるように構成された受取部材をさらに備え、前記受取部材が、クリップの本体の回動を制限するために前記回動制限フックと協働するように構成された少なくとも１つの回動停止部を備える、筆記用具に対してクリップを取り付けるための構造に関する。
【背景技術】
【０００２】
上記の取付構造は、特に、クリップをキャップの壁の一部からなる受取部材に取り付けるための構造を開示する特許文献１から知られている。構造の第１実施形態（図１から図３）では、キャップの壁は、本体の２つの側壁と、クリップの可撓性を有する湾曲部分を延在させる連結部分と、を挿入するための開口部を有している。このように、クリップの連結部分は、内壁面と連続して当接し、開口部の縁は、クリップの回動制限フックを停止させるために隣接部を形成している。
【０００３】
しかしながら、この装置は、欠点を有している。特に、受取部材へのクリップの取り付けは、組立中にクリップの可撓性を有する連結部分をクリップの本体から離れるように曲げられた状態に保つ必要性によって困難にされる。さらに、実際には、回動制限フックがキャップの壁の下を通らなければならないので、クリップの両側を開口部内に導入することは困難である。また、組み立てられると、クリップの連結部分は、単にキャップの壁に寄りかかり、且つ特にこの壁上で動くことが防止されず、このことは、クリップの使用中における前記連結部分の安定性に対して問題を引き起こす可能性がある。特許文献１には、構造の目的がクリップの取り外しを容易にすることであることも記載されている（第６９行−第７１行）。この目的は、クリップを安定的に取り付けることに明らかにつながらない。
【先行技術文献】
【特許文献】
【０００４】
【特許文献１】仏国特許第９４７０６６号明細書
【発明の概要】
【発明が解決しようとする課題】
【０００５】
本発明は、これらの欠点を克服しようとする。そのために、本発明は、特に、クリップを安定的に且つ容易に取り付けることを可能にするクリップを取り付けるための構造を提供することに関する。
【課題を解決するための手段】
【０００６】
このために、本発明の対象は、前記隣接部材がクリップの本体の２つの側壁の間に配置され、且つさらに回動面と垂直な前記本体の運動を防止するように構成された２つの側方隣接部を有することを特徴とする、上述したクリップを取り付けるための構造である。
【０００７】
これらの構成により、組み立ては、特に、隣接部材の２つの側方隣接部によって提供されるクリップの本体の側方保持を通じて安定的になされる。さらに、これらの構成は、装置、例えば上述した特許文献１に開示される装置と比較して組み立てを容易にする。
【０００８】
本発明によるクリップを取り付けるための構造の好ましい実施形態では、以下の構成の１つ以上が使用されてもよい：
前記２つの側方隣接部が、前記隣接部分の２つの側面によって形成され、前記２つの側面が回動面の各側に１つずつ位置付けられ、前記２つの回動停止部が、前記側面の縁から回動面に向かって進む表面によってそれぞれ形成され；それにより、側方隣接部及び回動停止部の容易な成形を可能にする；
クリップの少なくとも前記側壁が、金属シートから形成され、各回動制限フックが、回動面に向かって突出するように、側壁の縁で曲げられた前記金属シートのタブによって形成され；それにより、比較的大きな接触面積を有することができるソリッドなフックを容易に作り出すことを可能にし、且つ高さが比較的小さいクリップの側壁を可能にする；
前記受取部材が、２つの側壁と、２つの側壁を相互接続する上壁と、を備える基部を備え、前記受取部材が、２つの側壁の間に形成された保持開口部をさらに備え、クリップの前記連結部分が保持開口部と係合して不動にされ；それにより、組み立て及びクリップの保持を容易にする：
基部の前記上壁が、前記保持開口部の入口で補強横方向部分を備え、前記補強横方向部分が、前記隣接部材の幅よりも小さく且つ２つの前記回動制限フックの間の距離と略等しい幅を規定する２つの側面を有し；それにより、クリップの取付けの容易性に悪影響を及ぼすことなく基部の強度を上げる；
前記上壁が、保持開口部内に内側に突出する突出部を備え、前記突出部が、回動面内での前記連結部分の運動を防止するためにクリップの連結部分の面と接触し；それにより、回動面に沿う保持開口部内でのクリップの連結部分の安定性を高める；
クリップの連結部分が、可撓性を有するキャッチ部材を備え、受取部材が、前記保持開口部と隣り合うキャッチ開口部を備え、前記可撓性を有するキャッチ部材がキャッチ開口部と係合し；それにより、参照軸線に沿う保持開口部内でのクリップの連結部分の安定性を高め、且つクリップの取り外しを防止する；
前記受取部材が、前記参照軸線と略垂直に延在する補強前壁を備え、前記少なくとも１つの回動停止部が、前記補強前壁の後面から突出し；それにより、各回動停止部の強度を上げる；
前記補強前壁が、隣接部を形成する突出上方部分を備え、クリップの本体の下面が、クリップが荷重下にないときに突出上方部分に対して接触し；それにより、受取部材の方に向けられた圧力がクリップにかけられたときに回動制限フックが受取部材を圧迫することを防止する。
【０００９】
本発明は、長手方向軸線に沿って延在するバレルと、本発明によるクリップを取り付けるための構造と、を備える筆記用具であって、取付構造の受取部材が、バレルの後方に取り付けられ且つ前記長手方向軸線に沿って延在する概略管状部材と一体的に形成され、前記概略管状部材が、前記受取部材が突出する概略円筒状後方部分を備え、前記後方部分が、クリップの連結部分が接触する外面を有する壁部分を備えている、筆記用具にも関し；それにより、概略管状部材の内部空間に挿入することなく受取部材へのクリップの容易な取り付けを可能にする。
【００１０】
本発明は、連結部分と、本体と、本体を連結部分に接続する弾性変形可能な湾曲部分と、を備え、前記本体が、回動制限フックをそれぞれ備える２つの側壁を有する、筆記用具のためのクリップにおいて、前記クリップが、前記連結部分とともに形成された可撓性を有するキャッチ部材をさらに備え、少なくとも前記側壁が、金属シートから形成され、２つの回動制限フックのそれぞれが、他方の回動制限フックに向かって突出するように、前記側壁の縁で曲げられた前記金属シートのタブによって形成されていることを特徴とするクリップにも関する。
【００１１】
他の特徴及び利点は、図面を参照する、いくつかの非限定的な例となる実施形態の以下の説明から明らかになるであろう。
【図面の簡単な説明】
【００１２】
【図１】本発明の第１実施形態による取付構造の側面斜視図であって、取付構造が筆記用具のバレルの後方に取り付けられた、図である。
【図２】図１の取付構造のクリップの底面斜視図である。
【図３】図２の部分的な側面図である。
【図４】図２の部分的な底面図である。
【図５】図１の取付構造の受取部材の斜視図であって、前記受取部材が、バレルの後方に取り付けるよう意図された管状部材と一体的に形成された、図である。
【図６】図５の受取部材の部分的な平面図である。
【図７】断面がクリップの回動面において得られた、本発明の第１実施形態の取付構造の部分的な長手方向断面図である。
【図８】図７に示される断面ＶＩＩＩ−ＶＩＩＩに沿う図７の取付構造の横方向断面図を示す。
【図９】図７に示される断面ＩＸ−ＩＸから前方に向かって見た、図７の取付構造の部分的な断面斜視図を示す。
【図１０】図７に示される断面Ｘ−Ｘから後方に向かって見た、図７の取付構造の別の部分的な断面斜視図を示す。
【図１１】図７の取付構造の部分的な側面図を示す。
【発明を実施するための形態】
【００１３】
本発明による取付構造の第１実施形態によれば、図１に示される取付構造は、概略管状部材１５と一体的に形成された受取部材２を備えている。概略管状部材１５は、図１にも表されるように、筆記用具３のバレル４の後方に取り付けるように構成されている。概略管状部材１５は、部材１５がバレルに取り付けられるとバレルの延在部となるようにバレル４の後方に位置付けられた概略円筒状後方部分１６を備えている。受取部材２は、後方部分１６から径方向に突出している。
【００１４】
クリップ１は、本体１Ａと、本体１Ａを受取部材２の基部５内に挿入された連結部分に接続する弾性変形可能な湾曲部分１Ｃと、を備えている。受取部材２は、クリップ１の側壁１０上に設けられた回動制限フック１０Ｂと協働するように構成された少なくとも１つの回動停止部を有する隣接部材２０を備え、これにより、本体１Ａの回動を制限する。
【００１５】
図２、図３及び図４により詳細に示されるように、クリップ１の連結部分１Ｂは、参照軸線Ａに沿って延在する。クリップの本体１Ａは、２つの側壁１０及び１１を有し、クリップの弾性変形可能な湾曲部分１ｃは、本体１Ａを連結部分１Ｂに対して回動させることを可能にする弾性復帰による回動機能を有している。各側壁１０，１１は、回動制限フック１０Ｂ，１１Ｂを備えている。クリップの少なくとも側壁１０及び１１は、金属シートから形成され、各回動制限フックは、側壁の縁で曲げられたこの金属シートのタブによって形成され、このため、回動制限フックは、他方の回動制限フックに向かって突出する。連結部分１Ｂの幅よりも大きい距離Ｅ１は、２つの回動制限フック１０Ｂ及び１１Ｂの間に設けられている。
【００１６】
有利には、クリップの本体１Ａ、連結部分１Ｂ及び湾曲部分１Ｃは、均一な厚さの単一の金属シートから形成され、このシートは、特にクリップの湾曲部分１Ｃにおいてある程度弾性変形可能である。しかしながら、本発明による取付構造のクリップは、この実施形態に限定されない。
【００１７】
回動制限フック１０Ｂ及び１１Ｂ双方は、各側壁１０，１１の平坦部分１０Ａ，１１Ａ（図３）と略垂直な同じ平面にある。この特別な配置は、連結部分１Ｂの参照軸線Ａと垂直な方向におけるフックのサイズを意味するフックの高さを制限する利点を有し、従って、クリップの高さを制限することを可能にする。フックの平面は、側壁の平坦部分１０Ａ及び１１Ｂの下縁と平行であり、且つ参照軸線Ａに対して５°から１５°の間だけ傾斜している。しかしながら、ゼロまたはゼロに近い傾斜が考えられる。
【００１８】
有利には、クリップは、連結部分１Ｂから切り取られたシート金属タブによって形成され且つ本体１Ａに向かって突出させるために湾曲された、可撓性を有するキャッチ部材１２を備えている。図６を参照して以下で説明されるように、タブ１２は、参照軸線Ａに対して傾斜し、このため、クリップの連結部分１Ｂが、受取部材２に設けられた適切な保持開口部７（図５）内に挿入されるときに、タブは、タブがその初期の傾きに復帰し且つ隣接部材として働くキャッチ開口部８内でもとの状態に戻るまで保持開口部の壁に対してスライドされるので曲がる。
【００１９】
しかしながら、可撓性を有するキャッチ部材１２は、本発明による取付構造では必須ではない。上記の可撓性を有する部材を使用せず、代わりにクリップの連結部分１Ｂの側縁に鋸歯状の切断部を設けることが可能であり、これにより、受取部材２に配置された保持開口部内で参照軸線Ａの方向において前記連結部分を不動にする。
【００２０】
図４及び図５に表されるように、取付構造の受取部材２は、筆記用具３のバレル４（図１）の後方に取り付けることを目的とした概略管状部材１５と一体的に形成されている。概略管状部材１５は、部材１５がバレルに取り付けられると、筆記用具のバレル４の長手方向軸線と一致する長手方向軸線Ｘに沿って延在する。受取部材２は、回動制限フック１０Ｂ又は１１Ｂと協働するようにそれぞれ構成された２つの側方で対向する回動停止部を有する隣接部材２０を備え、これにより、クリップの本体１Ａの回動を制限する。管状部材１５の前方を向くときに隣接部材２０の右側に位置付けられる第１回動停止部２０Ｂは、図５で見ることができる。取付構造は、管状部材１５の長手方向軸線Ｘを通過する長手方向面Ｐ１（図６）に関して対称である。以下で詳述されるように、長手方向面Ｐ１は、クリップの本体１Ａのための回動面である。隣接部材２０は、本体１Ａの回動面Ｐ１と垂直な本体１Ａの運動を防止するように構成された２つの側方隣接部２０Ａ及び２１Ａをさらに備えている。
【００２１】
各側方隣接部２０Ａ，２１Ａは、隣接部材２０の側面によって形成され、各回動停止部は、前記側面の１つの縁部から長手方向面Ｐ１に向かって進む表面によって形成される。隣接部材２０の左側に位置付けられ且つ長手方向面Ｐ１に対して第１回動停止部２０Ｂと対称である第２回動停止部２１Ｂは、図８において見ることができる。クリップの２つの回動制限フック１０Ｂ及び１１Ｂが同一平面内にある本実施形態では、好ましくは、回動停止部２０Ｂ及び２１Ｂを形成する２つの表面も同一平面内にあり、このため、フックと回動停止部との間の停止部として作用する接触面積は、最適化される。
【００２２】
有利には、回動停止部の平面は、フックが隣接するときにフックの平面が停止部の平面と一致するように所定の傾きで参照軸線Ａに対して傾斜され、それにより、各フックと対応する回動停止部との間の平坦な接触を可能にする。隣接時の比較的大きな接触面積は、クリップの通常使用中の回動停止部又はフックの局所的な変形を回避することを可能にする。特に、受取部材２がプラスチックから製造される場合、回動制限フックの上記の構造は、回動停止部の変形を防止するために極めて有利である。
【００２３】
受取部材２は、長手方向面Ｐ１に沿って延在する中央の長手方向壁４０と、隣接部材２０の機械的強度を高め且つ概略管状部材１５の長手方向軸線Ｘと略垂直に延在する補強前壁３０と、をさらに備えている。前壁３０は、後面３０Ｂを有している。隣接部材２０の同じ側の回動停止部２０Ｂ，２１Ｂ及び側方隣接部２０Ａ，２１Ａは、前壁３０から長手方向において後方に突出し且つ中央の長手方向壁４０から側方において外側に突出する隣接部材２０の単一の突出部分によって形成される。
【００２４】
また、受取部材２は、長手方向面Ｐ１に対して互いに対称である２つの側壁５０及び５１を備える基部５を備え、前記基部は、２つの側壁を相互接続する上壁５２（図６）をさらに備えている。保持開口部７が、２つの側壁の間に形成され、クリップの連結部分１Ｂは、保持開口部７内に係合して不動にするように構成され、保持開口部７は、受取部材２の後端に入口を有している。上壁５２は、保持開口部７の入口において横方向補強部分６を備え、横方向補強部分６は、長手方向面Ｐ１に対して互いに対称であり且つ横方向部分６の幅Ｌ１を規定する２つの側面６０及び６１を有している。この幅Ｌ１は、隣接部材の側方隣接部２０Ａ及び２１Ａの間に規定される幅Ｌ２よりも小さく、且つクリップの２つのフックを分ける距離Ｅ１（図４）と略等しい。
【００２５】
図４を参照すると、各回動制限フック１０Ｂ，１１Ｂが、好ましくは前方で斜角とされ、これにより、クリップの挿入及び長手方向面Ｐ１に対する中心合わせを容易にすることに留意されるべきである。２つのフック１０Ｂ及び１１Ｂを分ける距離Ｅ１は、横方向部分６の幅Ｌ１と完全に等しいか又はこの幅Ｌ１よりもいくらか小さくてもよい。これは、クリップの側壁１０及び１１を形成する金属シートの弾性変形が、クリップを取り付けるときに２つのフックがわずかに離れることを可能にし、これにより、横方向部分６を越えて通過させるためである。さらに、補強前壁３０は、隣接部を形成する上方突出部分３０Ｃ（図５及び図６）を備えている。図７から分かるように、クリップの本体１Ａの下面は、クリップが荷重下にないときにこの隣接部３０Ｃと接触する。
【００２６】
図６から図１０は、クリップが荷重下にないときを意味するクリップの同じ静止状態にある取付構造の第１実施形態のさまざまな図を示し、且つ以下でともに説明される。保持開口部７は、クリップの連結部分１Ｂの参照軸線Ａが概略管状部材１５の長手方向軸線Ｘと略平行となるように受取部材２に形成される（図７）。しかしながら、参照軸線Ａが長手方向軸線に対して傾斜されるように構成された開口部７が考えられる。キャッチ部材８は、クリップの可撓性を有するキャッチ部材１２を受けるために保持開口部７と隣り合い、且つ中央の長手方向壁４０を通る孔を形成するように両側で側方に開き（図５、図７）、このことは、長手方向面に関して対称であり且つ受取部材２を概略管状部材１５とともに成形するために使用される２つの半分の型からキャッチ開口部８を外す(unmolding)ことを可能にする。
【００２７】
有利には、受取部材２の基部５の上壁５２は、中央の長手方向壁４０と垂直な頂部上且つその各側面上に２つの平坦部分を有し（図５、図８）、これにより、上述したようにそれを２つの対称な半分の型から外すことを可能にする。上壁５２は、底部上に、保持開口部７内に内側に突出する突出部５２Ｂ（図７、図８、図９）を備えている。突出部５２Ｂは、長手方向軸線に対するクリップの連結部分１Ｂの径方向外面との接触を達成するために設けられ、これにより、径方向において連結部分１Ｂを不動にし、言い換えると、クリップの本体１Ａの回動面内での前記連結部分の運動を防止する。有利には、突出部５２Ｂは、キャッチ開口部８の各側で長手方向面に関して互いに対称な２つの丸みを帯びた長手方向リブの形態にあり、このことは、例えば長手方向軸線と平行に後方に引かれる単一のピンを用いて、保持開口部７を型から外すことを容易にする。
【００２８】
受取部材２が突出する概略円筒状後方部分１６は、例えば円筒状である径方向外面を有する壁部分１７を備え、クリップの連結部分１Ｂは、壁部分１７に対して接触する（図７、図８、図９）。連結部分１Ｂは、好ましくは、円筒状金属シート部分を形成するために湾曲し、円筒状金属シート部分の径方向内面は、壁部分１７の円筒状径方向外面と完全に接触し、このことは、長手方向リブ５２Ｂを長手方向軸線とできるだけ近く配置することを可能にする。製造交差を考慮すると、長手方向リブ５２Ｂと壁部分１７との間の径方向の距離は、連結部分１Ｂのためのシートの厚さよりもわずかに小さいように設計され、これにより連結部分１Ｂが、径方向の遊びがなく保持開口部７内に保持されることを保証してもよい。このために、特に、長手方向リブ５２Ｂにおいて上壁５２が径方向の小型化を提供するために好ましくは比較的薄くなるように、クリップが挿入されると、長手方向リブ５２Ｂにおいて上壁５２の径方向におけるわずかな弾性変形が提供されてもよい。
【００２９】
有利には、壁部分１７の径方向の厚さは、保持孔７を径方向において長手方向軸線により近く導くために後方部分１６の壁の厚さよりも小さく、このことは、後方部分１６の内部空間に悪影響を及ぼすことなく径方向において取付構造の全体的な寸法を減少させる。基部５の２つの側壁５０及び５１は、クリップの同じ側の側壁１０又は１１の平坦部分１０Ａ又は１１Ａと同じ平面内に略延在する平坦な外面をそれぞれ有し、このことは、少なくとも取付構造の外観のために有利である。
【００３０】
図８に表されるように、クリップが荷重下にないときに、空間Ｄ１が、各回動制限フック１０Ｂ，１１Ｂと、対応する回動停止部２０Ｂ，２１Ｂと、の間に設けられる。この空間Ｄ１により、使用者は、主要部を変形させることなくフック１０Ｂ及び１１Ｂが隣接するまでクリップの本体１Ａをバレルから離れるように動かすことができる。
【００３１】
図１０及び図１１に表されるように、取付構造の対称性を考慮すると、クリップの各側壁１０Ａ，１１Ａと同様に各回動制限フック１０Ｂ，１１Ｂは、クリップが荷重下にないときに受取部材の基部の上壁５２とほぼ接触する。すでに述べたように、受取部材の補強前壁３０は、隣接部を形成する突出上方部分３０Ｃを備え、クリップの本体１Ａの下面は、クリップが荷重下にないときに突出上方部分３０Ｃに対して接触する。この隣接部３０Ｃは、クリップがバレルに対して押圧される場合でさえクリップの側壁１０又は１１が上壁５２に当接することを防止し、従って、特にクリップのフック１０Ｂ又は１１Ｂの下方の角部に近接する上壁５２を変形させる危険性を回避する。有利には、隣接部３０Ｃは、補強前壁３０の前面３０Ａに到達するようにできるだけ前進されている。前記前面３０Ａは、好ましくは、丸みを帯びた側縁を有して平坦であり、それにより、クリップの下に前面まで挿入される物、例えば紙のシートのために大きな接触面を形成する。
【００３２】
図に表されない本発明による取付構造の第２実施形態では、補強前壁３０を除くことと、隣接部材２０上に、上述した隣接部３０Ｃと同様の突出上方部分を設けることと、が可能である。キャッチ開口部８の上の中央の長手方向壁４０の一部を除くことも可能であり、これは、横方向補強部分６及び隣接部材２０が、この壁によって相互接続されないことを意味する。合わせて又は個別に選択されるこれらの構成は、少ない量のプラスチックを節約するが、受取部材２を弱化させる欠点をいまだに有する可能性がある。
【００３３】
筆記用具に対してクリップを取り付けるための構造は、必ずしも筆記用具の後方に設置されるよう意図されず、且つ例えば筆記用具の前方で先端のための保護キャップ上に嵌合されてもよいことが理解される。
【００３４】
本発明は、長手方向軸線（Ｘ）に沿って延在する概略管状部材（１５）と、前記概略管状部材（１５）の壁部分（１７）から突出する受取部材（２）と、を備える、筆記用具のためのプラスチック材料の組立体であって、前記受取部材が、クリップを受けるように構成され、且つ２つの側壁（５０，５１）と、前記２つの側壁を相互接続する上壁（５２）と、を備える、筆記用具のためのプラスチック材料の組立体にも関する。受取部材（２）は、クリップの一部を固定して保持するための保持開口部（７）をさらに備え、前記保持開口部が、前記２つの側壁（５０，５１）の間且つ前記上壁（５２）と前記壁部分（１７）との間に形成されている。受取部材（２）は、前記長手方向軸線（Ｘ）を通過する長手方向面（Ｐ１）に沿って延在する中央の長手方向壁（４０）と、前記中央の長手方向壁（４０）の各側に１つずつ側方で反対側にある２つの隣接壁（２０Ａ，２１Ａ）を有する隣接部材（２０）と、をさらに備え、隣接部材（２０）は、中央の長手方向壁（４０）の各側に１つずつ前記中央の長手方向壁（４０）と略垂直な２つの追加的停止壁（２０Ｂ，２１Ｂ）をさらに備え、各前記追加的停止壁（２０Ｂ，２１Ｂ）は、前記頂壁（５２）に面して配置されている。
【００３５】
有利には、本発明によるプラスチック材料の組立体のいくつかの実施形態は、場合により組み合わせて、説明された取付構造の受取部材に関する上述の構成の１つ以上を使用してもよい。
【００３６】
上述したプラスチック材料の組立体のための構成により、長手方向面に関して対称な２つの半分の型を使用して受取部材２を概略管状部材１５ととともに成形することが可能となる。保持開口部７及び管状部材１５の概略円筒状の中空空間を型から外すことは、例えば長手方向軸線に対して平行に後方に引かれる単一のピンを用いて同時に実行することができる。
【００３７】
筆記用具のためのプラスチック材料の組立体の概略管状部材は、必ずしも筆記用具のバレルの後方に取り付けられるよう意図されず、例えば筆記用具の前方で先端のための保護キャップからなってもよいことが理解される。
【符号の説明】
【００３８】
１  クリップ、１Ａ  本体、１Ｂ  連結部分、１Ｃ  湾曲部分、２  受取部材、３  筆記用具、４  バレル、５  基部、６  補強横方向部分、７  保持開口部、８  キャッチ開口部、１０，１１  側壁、１０Ｂ，１１Ｂ  回動制限フック、１２  キャッチ部材、１５  概略管状部材、１６  概略円筒状後方部分、１７  壁部分、２０  隣接部材、２０Ａ，２１Ａ  側方隣接部、２０Ｂ，２１Ｂ  回動停止部、３０  補強前壁、３０Ｂ  後面、３０Ｃ  突出上方部分、５０，５１  側壁、５２  上壁、５２Ｂ  突出部、６０，６１  側面、Ａ  参照軸線、Ｅ１  距離、Ｌ１  幅、Ｌ２  幅、Ｐ１  回動面、Ｘ  長手方向軸線
【図１】
0006053832.tif 000002
【図２】
0006053832.tif 000003
【図３】
0006053832.tif 000004
【図４】
0006053832.tif 000005
【図５】
0006053832.tif 000006
【図６】
0006053832.tif 000007
【図７】
0006053832.tif 000008
【図８】
0006053832.tif 000009
【図９】
0006053832.tif 000010
【図１０】
0006053832.tif 000011
【図１１】
0006053832.tif 000012